Podtech/llm-jp-corpus-v4-ja_patent huggingface dataset:
(57)【要約】【課題】食器かごへの食器のセットを容易に行えるようにする。【解決手段】食器かご５を収容する洗浄庫１１と、前記食器かご５にセットする物が撮像され前記洗浄庫１１の庫壁６に取り付けられたホログラム１と、前記ホログラム１に対して食器かご５と反対側に設けたレンズ２と、前記レンズ２に対して前記ホログラム１と反対側に設けたレーザ３とを備え、前記食器かご５に撮像された物を投影するようにしたものであり、使用者はその投影された像を見ることにより、食器のセットを容易に行うことができる。【選択図】図１
2007301128.tif 000002
【特許請求の範囲】
【請求項１】
食器かごを収容する洗浄庫と、前記食器かごにセットする物が撮像され前記洗浄庫の庫壁に取り付けられたホログラムと、前記ホログラムに対して食器かごと反対側に設けたレンズと、前記レンズに対して前記ホログラムと反対側に設けたレーザとを備え、前記食器かごに撮像された物を投影するようにした食器洗い乾燥機。
【請求項２】
食器かごに投影する物は、前記食器かごにセットする箸、皿、鍋、食器等からなる請求項１記載の食器洗い乾燥機。
【請求項３】
投影する像の場所は、食器かごの特定位置に投影するようにした請求項１または２記載の食器洗い乾燥機。
【発明の詳細な説明】
【技術分野】
【０００１】
本発明は、ホログラフィを応用した食器洗い乾燥機に関するものである。
【背景技術】
【０００２】
従来の家庭用電気機器、例えば食器洗い乾燥機は、食器かごに食器をセットするときは容易にセットできるように、仕切り材を通常の室温では塑性変形自在になると共に所定温度以上に加熱されると硬直化して所定の状態に復帰する形状記憶合金にて形成したものが考えられている（例えば、特許文献１参照）。
【特許文献１】特開２０００−２２９０５６号公報
【発明の開示】
【発明が解決しようとする課題】
【０００３】
しかしながら、前記従来の構成では、食器かごの取り付け板に加熱されると硬直化して所定の状態に復帰する形状記憶合金を使用していたので、確かに、食器かごに食器をセットするときは容易にセットできるが、皿や鍋や食器などが食器かごのどの位置に置くのか不明なため、所定の位置以外のところに置かれた場合、皿が最適に置かれた状態にならないという課題を有していた。
【０００４】
本発明は、前記従来の課題を解決するもので、食器かごに食器を容易にセットできる食器洗い乾燥機を提供することを目的とする。
【課題を解決するための手段】
【０００５】
前記従来の課題を解決するために、本発明の食器洗い乾燥機は、食器かごを収容する洗浄庫と、前記食器かごにセットする物が撮像され前記洗浄庫の庫壁に取り付けられたホログラムと、前記ホログラムに対して食器かごと反対側に設けたレンズと、前記レンズに対して前記ホログラムと反対側に設けたレーザとを備え、前記食器かごに撮像された物を投影するようにしたものである。
【０００６】
これにより、使用者はホログラフィにより食器かごにセットする物が投影されるので、食器かごに投影された物の像を見ることにより、食器かごに物を所定の位置に置くことができ、食器を容易にセットすることができる。
【発明の効果】
【０００７】
本発明の食器洗い乾燥機は、使用者は食器かごに投影された物の像を見て食器かごへの食器のセットを容易に行うことができる。
【発明を実施するための最良の形態】
【０００８】
第１の発明は、食器かごを収容する洗浄庫と、前記食器かごにセットする物が撮像され前記洗浄庫の庫壁に取り付けられたホログラムと、前記ホログラムに対して食器かごと反対側に設けたレンズと、前記レンズに対して前記ホログラムと反対側に設けたレーザとを備え、前記食器かごに撮像された物を投影するようにしたことにより、使用者はホログラフィにより食器かごに物が投影されるので、食器かごに投影された物の像を見ることにより、食器かごに物を所定の位置に置くことができ、食器を容易にセットすることができる。
【０００９】
第２の発明は、特に、第１の発明の食器かごに投影する物は、前記食器かごにセットする箸、皿、鍋、食器等からなることにより、箸や皿あるいは鍋等の具体的な食器の種類がわかる。使用者はその具体的な食器の種類を見ることにより食器かごに具体的な食器の種類ごとに置く位置をしることができ、容易にセットできる。
【００１０】
第３の発明は、特に、第１または第２の発明の投影する像の場所は、食器かごの特定位置に投影するようにしたことにより、箸や皿あるいは鍋等の食器かごの具体的な置く場所がわかる。使用者は像のある食器かごの特定位置に、食器等を容易にセットできる。
【００１１】
以下、本発明の実施の形態について、図面を参照しながら説明する。なお、本実施の形態によって本発明が限定されるものではない。
【００１２】
（実施の形態１）
図１は、第１の実施の形態１における食器洗い乾燥機の構成図である。図１において、１は食器を撮像したホログラムであり、２はホログラム１へ光を当てるレンズ、３は制御装置９に接続されたホログラフィの光源である半導体レーザ、４はホログラム１から出た食器像である。５は食器洗い乾燥機の洗浄庫１１内に収容された食器かご、６は食器洗い乾燥機の洗浄庫１１の庫壁、７は食器洗い乾燥機の外枠である食器洗い乾燥機外枠、８は食器洗い乾燥機の扉、９は食器洗い乾燥機の制御装置、１０は食器洗い乾燥機のポンプモータである。
【００１３】
かかる構成において、使用者が食器を入れるとき、扉８を開くと、制御装置９から信号が出て、半導体レーザ３から光が照射される。照射光はレンズ２を介して庫壁６につけられたホログラム１にあたり、食器かご５の食器の置かれる位置に、食器像４が浮かび上がる。図２は食器洗い乾燥機の正面から見た状態であり、使用者は、食器を食器像４を見ることにより食器かご５に食器を持って行き食器を置く。
【００１４】
このように、使用者は投影された食器像を見ることにより食器等の種類によってセット位置がわかり、食器かごに食器を容易にセットできる。なお、ホログラム１に撮像する像は、箸、皿、鍋、食器等の食器洗い乾燥機で洗浄するものなら何でもよい。
【００１５】
また、ホログラム１に撮像する像は、箸、皿、鍋、食器等の単体だけでなく、箸、皿を複数を撮像するなど多種類かつ多数でもよい。
【００１６】
また、投影する像は、食器類が最も収納できるように、網かごの特定位置に投影すれば、使用者は容易に最大の食器等の収納ができる。
【産業上の利用可能性】
【００１７】
本発明にかかる食器洗い乾燥機は、使用者は像を見ることにより、機器の中に容易に物を置くことができるので、ホログラフィを応用した家庭用電気機器として有用である。
【図面の簡単な説明】
【００１８】
【図１】本発明の第１の実施の形態における食器洗い乾燥機の構成図
【図２】同食器洗い乾燥機の正面から見た構成図
【符号の説明】
【００１９】
１  ホログラム
２  レンズ
３  半導体レーザ
４  食器像
５  食器かご
６  庫壁
７  食器洗い乾燥機外枠
８  扉
９  制御装置
１０  ポンプモータ
【図１】
2007301128.tif 000003
【図２】
2007301128.tif 000004
(57)【要約】【課題】各々の操作員が着目している映像位置情報を各々の操作員が画面上で目視確認可能とするため、各操作員が着目している映像位置情報を各々の操作表示器の画面に表示し他操作員の着目映像を視認可能とする操作表示処理装置を提供する。【解決手段】自操作表示器操作員着目映像位置情報はデータ通信回線２を通して他の操作表示器３に入力され、他操作表示器操作員着目映像位置情報表示５としてシンボル表示し、他操作員の着目映像を認識できる。複数の操作員が同時同一映像を重複して監視することを回避し監視効率を向上する。【選択図】図１
2007256690.tif 000002
【特許請求の範囲】
【請求項１】
センサからの受信信号を信号処理して複数の操作表示器に映像を表示し、複数の操作員
が映像を監視しそれが目標かを捜索するシステムにおいて、個別の各操作表示器で各々の
操作員が着目している映像位置情報を各操作表示器に表示することを特徴とする操作表示
処理装置。
【発明の詳細な説明】
【技術分野】
【０００１】
本発明は複数の操作表示器を有する操作表示処理装置の目標捜索効率を改善する表示装
置に関するものである。
【背景技術】
【０００２】
操作表示処理装置はレーダやソーナ等センサからの信号を映像表示して操作員が目標を
監視するシステムに広く使用されている。また目標監視効率を上げるため、センサからの
情報を処理して複数の操作表示器に表示し、複数の操作員が同時に監視可能なシステムも
構築されている。
【０００３】
しかし各操作員が監視する映像位置情報は各操作員相互に共有化されておらず、各操作
員が同時に同一映像を重複して監視し、目標か否かを判定する場面が発生する欠点がある
。複数の操作員が同時に運用する操作表示処理装置において、この欠点は映像が目標か否
かを判定するための効率低下を招く。
【０００４】
この改善策として、各操作員が着目している映像の位置を各操作表示処理器に表示する
ことで、各操作員は他の操作員着目している映像位置を画面上で確認できるようになる。
この結果各操作員が同時に同一映像を重複して監視することがなくなり、目標監視効率が
向上する操作表示処理装置を提供できる。
【０００５】
なお、従来、プラントなどの運転、監視を行う運転監視操作装置で、各運転員の運転、監視作業における各運転員間での協調作業および運転管理者にとっての監視作業を容易にするものとしては、特許文献１に記載されたようなものがある。
【０００６】
【特許文献１】特開平１１−２４９７２９号公報
【発明の開示】
【発明が解決しようとする課題】
【０００７】
解決しようとする問題点は、複数の操作表示処理器を有する装置において、各々の操作
員が着目している映像位置情報を各々の操作員が画面上で目視確認できない点である。
【課題を解決するための手段】
【０００８】
本発明は、各操作員が着目している映像位置情報を各操作員が画面上で目視確認可能と
するため、各操作員が着目している映像位置情報を各操作表示処理器の画面に表示するこ
とを最も主要な特徴とする。
【発明の効果】
【０００９】
本発明の操作表示処理装置は、各々の操作員が着目する映像位置情報を各操作表示器の
画面に表示することで、各操作員は他の操作員が着目している映像を各操作表示処理器画
面で常に確認できるので、同時に同一の映像を重複して着目することを回避できるという
利点がある。
【発明を実施するための最良の形態】
【００１０】
複数の操作員が同時に同一の映像を重複して監視することを回避し監視効率を向上する
という目的を、他の操作員の着目する映像位置を各々の操作表示器の画面に同時に表示す
ることで、ハードウエアの追加を行わずに実現した。
【００１１】
図１は、本発明装置の１実施例のブロック図であって、１は信号処理制御部、２はデー
タ通信回線、３は操作表示器、４は自操作表示器操作員着目映像位置情報表示例、５は他
操作表示部操作員着目映像位置情報表示例、６は映像表示画面例である。
【００１２】
自操作表示器操作員着目映像位置情報は直接または信号処理制御部１を経由でデータ通
信回線２を通して他の操作表示器３に入力され、他操作表示器操作員着目映像位置情報表
示５としてシンボル表示される。
【００１３】
複数の操作員が同時に監視する映像重複を回避し監視効率を向上するという目的を、他
の操作員の着目する映像位置を各々の操作表示器の画面に同時に表示することで、捜索効
率向上におおいに役立つ。
【００１４】
本発明を実現する上で必要な構成は次の通りである。信号処理制御部は処理を実施する
コンピュータ、センサからの信号を入力するインターフェース、表示制御部へ画像を出力
するビデオボードと操作表示器及び他チャネルの信号処理制御部との間でカーソル位置情
報を通信するインターフェースで構成する。操作表示器は画像を表示する表示器、オペレ
ータが操作を行うキーボード及びカーソル、信号処理制御部から画像を入力するインター
フェース、カーソル位置情報を信号処理制御と通信するインターフェースで構成する。
【産業上の利用可能性】
【００１５】
ソーナーやレーダで複数の操作表示器を有するシステムに本表示機能を適用することで
目標監視効率が向上する。
【図面の簡単な説明】
【００１６】
【図１】操作表示処理装置の他操作表示器操作員着目目標表示機能の操作表示装置適用ブロック図。
【符号の説明】
【００１７】
１…信号処理制御器、２…データ通信回線、３…操作表示器、４…自操作表示器操作員
着目映像位置情報表示例、５…他操作表示器操作員着目映像位置情報表示例、６…映像表
示例。
【図１】
2007256690.tif 000003
(57)【要約】【課題】  プリントシール機において前後左右同時に撮影及び印刷することが出来る、前後左右同時撮影プリントシール装置を提供する。【解決手段】  プリントシール機に被写体左右に各１台づつビデオカメラを設置し、そして被写体背面にビデオカメラを設置して被写体を前後左右同時に撮影及び印刷を可能にした。【選択図】図１
2007256889.tif 000002
【特許請求の範囲】
【請求項１】
プリントシール機に４台のビデオカメラを設け被写体の前後左右の姿を同時撮影し写体の前後左右の姿をシール印刷できる前後左右同時撮影プリントシール装置。
【発明の詳細な説明】
【技術分野】
【０００１】  本発明は、プリントシール機に被写体左右に各１台づつビデオカメラを設置し、そして被写体背面にビデオカメラを設置して被写体を前後左右同時に撮影及び印刷することが出来る、前後左右同時撮影プリントシール装置に関わる。
【背景技術】
【０００２】  従来、プリントシール機では被写体正面だけの撮影しか出来なかった。横顔を撮影したい場合などはプリントシール機に対して横向きになるしかなくプリントシール機の正面に設置された操作スイッチを押すことが難しかった。そして特に女性の場合、前後左右の髪型、洋服のバランスなどを視認したいという希望が多くあった。
【発明の開示】
【発明が解決しようとする課題】
【０００３】  そのために、次のような問題点があった。
プリントシール機に対して横向きや後ろ向きで操作スイッチを押すことが難しかった。【０００４】  またモニターが正面にあるため横向きでポーズや表情を視認することは出来なかった。
【課題を解決するための手段】
【０００５】  プリントシール機の被写体左右側面に各１台づつビデオカメラを設置した。【０００６】  そしてプリントシール機の被写体背面に１台のビデオカメラを設置した。【０００７】  モニター画面では４台のビデオカメラが撮影する正面、左右側面と背面映像が同時に表示されるようにした。【０００８】  シール印刷も正面、左右側面と背面映像が同時に印刷できるようにした。
以上を特徴とする時間貸し店舗における自動的録画、録音装置である。
【発明の効果】
【０００９】  本発明は、被写体の前後左右の同時撮影と印刷を可能にした。
【発明を実施するための最良の形態】
【００１０】  以下、本発明の実施の形態について説明する。【００１１】  プリントシール機１に設置された正面ビデオカメラ２に被写体３の左側に左面ビデオカメラ５増設した。同じく被写体３の右側に右面ビデオカメラ６増設した。同じく被写体３の背側に背面ビデオカメラ４増設して前後左右の姿の撮影と前後左右の姿の印刷を可能にした。【００１２】  本発明は、以上の構成によりなっている。
【図面の簡単な説明】
【００１３】
【図１】本発明の構成図
【符号の説明】
【００１４】  １  プリントシール機
２  正面ビデオカメラ
３  被写体
４  背面ビデオカメラ
５  左面ビデオカメラ
６  右面ビデオカメラ
【図１】
2007256889.tif 000003
(57)【要約】【課題】  筆や筆ペンを使い慣れない人々が筆文字をきれいに書くことができる筆ペンガイドキャップと立体テンプレートを提供する。【解決手段】  筆ペンでの楷書、行書に適するよう立体的なテンプレートと立体テンプレートのくり抜き溝部分をガイドするため筆ペンにガイドキャップを取り付けた。そして筆を押付ける力を表現できるよう文字の各画ごとに幅が広く力が入る部分では板厚を薄くする。そして幅が狭く、力を抜く部分では板厚を厚くした。そして筆ペンにはガイドキャップを設けて筆先が板厚に対して常に一定になるようにした立体テンプレートと筆ペンガイドキャップ。【選択図】図１
2007256888.tif 000002
【特許請求の範囲】
【請求項１】
筆文字用に筆圧が自動的に変わることを特徴とする、立体テンプレート及び筆ペン用ガイドキャップ。
【発明の詳細な説明】
【技術分野】
【０００１】  本発明は、筆ペンで自分の苗字や文字を印刷されたようにきれいに書ける筆ペンキャップと立体テンプレートである。
【背景技術】
【０００２】  従来、習字を習得された人々が筆や筆ペンできれいな文字を書くことは容易いが日常、筆や筆ペンを使い慣れない人々が筆文字をきれいに書くことは難しかった。そして名札、上履き、タオルなどに筆や筆ペンで名前を入れることは多く、年賀状なども筆文字で書きたいという願望があった。鉛筆用などでは数字、カタカナ、アルファベットのテンプレートが使われていた。
【発明の開示】
【発明が解決しようとする課題】
【０００３】  そのために、次のような問題点があった。
従来のテンプレートでは辿る堀溝は一定の幅で楷書や行書に適さなかった。【０００４】  また、文字サイズも小さく苗字や文字を大きく書くことには適さなかった。
【課題を解決するための手段】
【０００５】  筆ペンでの楷書、行書に適するよう立体的なテンプレートと立体テンプレートのくり抜き溝部分をガイドするため筆ペンにガイドキャップを取り付けた。【０００６】  そして筆を押付ける力を表現できるよう文字の各画ごとに幅が広く力が入る部分では板厚を薄くする。そして幅が狭く、力を抜く部分では板厚を厚くした。そして筆ペンにはガイドキャップを設けて筆先が板厚に対して常に一定になるようにした。【０００７】  立体テンプレートに住所用、氏名用、挨拶文用のテンプレートを用意した。【０００８】  様々なニーズを想定して楷書、行書のほか和文字全種が用意された立体テンプレートと筆ペン用ガイドキャップである。
【発明の効果】
【０００９】  本発明は、筆ペンガイドキャップと立体テンプレートにより、楷書や行書など和文全般を素早く、きれいに筆文字で書くことが出来る。
【発明を実施するための最良の形態】
【００１０】  以下、本発明の実施の形態について説明する。【００１１】  立体テンプレート１はＰＣＶやＰＥＴやアクリルなどの樹脂や木材を用いてあらかじめ名前などの文字をくり抜いた。【００１２】  各画に対して例えば立体テンプレート１の一画目２に於いて、一画拡大３のようにくり抜き幅の広い部分の板厚４を薄くした。そしてくり抜き幅の狭い部分の板厚５を厚くした。【００１３】  そして筆ペン６に筆ペンガイドキャップ８を取り付け筆先７が一定の長さだけ出るようにした。これにより例えば立体テンプレート１の一画目拡大３に筆ペン６をなぞると、くり抜き幅の広い部分の板厚４では筆ペンガイドキャップ８がくり抜きの淵に当り筆ペン６は下がり文字幅が広く書ける。そしてくり抜き幅の狭い部分の板厚５では筆ペンガイドキャップ８がくり抜きの淵に当り筆ペン６は上がり文字幅が狭く書ける。【００１４】  本発明は、以上の構成によりなっている。
【図面の簡単な説明】
【００１５】
【図１】本発明の構成図
【符号の説明】
【００１６】１  立体プレート
２  一画目
３  一画目拡大
４  くり抜き幅の広い部分の板厚
５  くり抜き幅の狭い部分の板厚
６  筆ペン
７  筆先
８  筆ペンガイドキャップ
【図１】
2007256888.tif 000003
(57)【要約】      （修正有）【課題】１チップマイコンを使用して音程を変えずに音声の高速再生を行うことができる安価な話速変換装置を提供する。【解決手段】音声を入力するマイクと、音声を出力するジャックと、入力された音声をデジタル音声データに変換するＡＤＣと、デジタル音声データを音声に再変換するＤＡＣと、デジタル音声データを記録するメモリーカードと、プログラムを実行する１チップマイコンと、アルゴリズムを記憶したプログラムメモリと、動作状態を表示する表示部と、使用者が動作を選択する操作部で構成されていて、音声を再生する際にデジタル音声データに窓関数を乗算した後に重ね合わせ（加算）を行うことにより、高速再生時の音声の劣化とデータ同士の継ぎ目の位相ずれを抑えて、滑らかな音声の高速再生を可能とする安価な話速変換装置を実現する。【選択図】図１
2007256896.tif 000002
【特許請求の範囲】
【請求項１】
等速を基準としてサンプリングされたデジタル音声データをブロック化し、ブロック単位でデジタル音声データに窓関数を乗算し、さらに乗算後のデジタル音声データをブロック単位で重ね合わせ（加算）を行うことによって、再生時の音声の劣化を抑えて原音の周波数を変えずに高速で音声を再生することを特徴とする音声の高速再生方法。
【請求項２】
前記の音声の高速再生を、安価な１チップマイコンを使用して実現する請求項１記載の話速変換装置。
【発明の詳細な説明】
【技術分野】
【０００１】  本発明は音程を変えずに音声の高速再生を行う、話速変換装置に関する。
【背景技術】
【０００２】  従来、音程を変えずに音声の高速再生を行うには、音程が変わらない範囲でデジタル音声データを間引いて実現しているものもある（例えば、特許文献１参照。）。また、高性能のＤＳＰを使用してフーリエ変換などを行うことで実現しているものもある。【０００３】  前記従来の音程が変わらない範囲でデジタル音声データを間引く方法は、再生速度が上がるにつれて間引かれるデータの間隔が長くなって再生した際の音声の劣化が激しくなり、かつ間引かれずに残ったデータ同士の継ぎ目で位相ずれがおきて、インパルスノイズが発生するという問題点を有していた。
【特許文献１】特開２０００−８９８００
【０００４】  また、前記従来のＤＳＰを使用してフーリエ変換などを行う方法は、高速での演算を行う必要があるために高性能のＤＳＰや高速のメモリを必要とし、装置が高価になってしまうという問題点を有していた。
【発明の開示】
【発明が解決しようとする課題】
【０００５】  本発明は、このような従来の手法が有していた問題を解決しようとするものであり、高速再生時の音声の劣化を抑えながら、１チップマイコンを使用して音程を変えずに音声の高速再生を行うことことができる安価な話速変換装置を実現することを目的とする。
【課題を解決するための手段】
【０００６】  本発明に係わる話速変換装置は、音声を入力するマイクと、音声を出力するジャックと、入力された音声をデジタル音声データに変換するＡＤＣと、デジタル音声データを音声に再変換するＤＡＣと、デジタル音声データを記録するメモリーカードと、プログラムを実行する１チップマイコンと、アルゴリズムを記憶したプログラムメモリと、動作状態を表示する表示部と、使用者が動作を選択する操作部で構成されている。
【発明を実施するための最良の形態】
【０００７】  以下、本発明の実施の形態を図１〜図２に基づいて説明する。【０００８】  図１は本発明の話速変換装置のブロック図である。マイクから入力された音声はＡＤＣによってアナログの音声信号からデジタル音声データに変換され、１チップマイコンに送られ、メモリーカードに記録される。【０００９】  メモリーカードに記録されたデジタル音声データは、話速変換装置の使用者が操作部から指示を与えることで１チップマイコンによりメモリーカードから取り出され、プログラムメモリに書き込まれているアルゴリズムに従って話速変換の処理が行われてＤＡＣに送られ、ＤＡＣによってデジタル音声データからアナログの音声信号に変換されてジャックより出力される。なお、表示部はこれらの動作状態の変移を表示する。【００１０】  次に、図２により２倍速での再生を例にとり、本発明の音声の高速再生のアルゴリズムを説明する。【００１１】  図２−１はアナログの音声信号から変換されたデジタル音声データを、間引いても音程の変化が起こらない周期でブロック化した図であり、１ブロックには２５６ワードのデジタル音声データが含まれているものとする。【００１２】  ブロック化された２５６ワードのデジタル音声データを、図２−２および図２−３に示すように奇数ブロックには５１２ワードの窓関数の後半部分２５６ワードを乗算し、偶数ブロックには５１２ワードの窓関数の前半部分２５６ワードを乗算した後、奇数ブロックと偶数ブロックの重ね合わせ（加算）を行う。【００１３】  図３−１は上記の処理を行った後のブロック化されたデジタル音声データである。１ブロック長の中に奇数と偶数の２ブロックのデジタル音声データがミキシングされているため、奇数と偶数両ブロックのデジタル音声データが存在し、ブロック同士の繋ぎ目には位相ずれが発生せず、滑らかな２倍速での再生を実現することができる。【００１４】  図３−２は従来の音程が変わらない範囲でデジタル音声データを間引く方法での、間引かれた後のデジタル音声データーをブロック化した図である。この方法では偶数ブロックのデジタル音声データが全て間引かれるため、再生した際の音声の劣化が激しく、かつ間引かれない奇数ブロック同士の継ぎ目で位相ずれがおきて、インパルスノイズが発生する。
【発明の効果】
【００１５】  上述したように本発明の話速変換装置は、従来の音程が変わらない範囲でデジタル音声データを間引く方法と比べて、デジタル音声データに窓関数を掛け合わせた後に重ね合わせ（加算）を行うことで、データーブロック同士の継ぎ目での位相ずれを防いでインパルスノイズを発生させることなく、再生される音声の劣化を抑えて滑らかな音声の高速再生が可能とする。また、アルゴリズムがシンプルであるため高性能のＤＳＰや高速のメモリを使用しなくても、安価な１チップマイコンを使用して話速変換装置を実現することが可能となる。
【図面の簡単な説明】
【００１６】
【図１】本発明の実施形態を示す話速変換装置のブロック図。
【図２】本発明の実施形態におけるアルゴリズムを説明するための図。
【図３】従来の方法と比較して本発明の実施形態におけるアルゴリズムの優位性を説明するための図。
【図１】
2007256896.tif 000003
【図２】
2007256896.tif 000004
【図３】
2007256896.tif 000005
(57)【要約】      （修正有）【課題】３６０度方向から表出内容を見ることができる表示装置を提供する。【解決手段】１列のＬＥＤをモーターを利用して回転させ、文字とイメージを空間上に表出させる。稼動中にも表出内容をリアルタイムでデーターをダウンロードして表出内容を変更でき、表出される模様はＬＥＤが組込まれたフレームにより半円球（ドーム）形態、エントツ形などさまざまな形態に変形させることが出来る。【選択図】図３
2007256894.tif 000002
【特許請求の範囲】
【請求項１】
垂直１列ＬＥＤの回転で文字及びイメージを表出させる回転型ＬＥＤ表出装置
【請求項２】
第［請求項１］において、カラーで文字及びイメージを表出させる方法
【請求項３】
第［請求項１］において、表出データーを運営中にもリアルタイムで変更させる方法
【請求項４】
第［請求項１］において、表出データーを表出装置に無線で伝送する方法
【発明の詳細な説明】
【技術分野】本発明は少ない数量の高輝度ＬＥＤを透明アクリルの内部にてモーターを利用して回転させ文字及びイメージなどを３６０度どの方向からでも見られるように表出させる装置で広告及び情報を効果的に伝達させる回転電光ボードだ。
円形半球（ドーム）ＬＥＤフレーム形態では文字及びイメージの表出面積が小さいけれども、立体感があり、エントツ形態のＬＥＤフレームでは立体感は乏しい反面、表出面積を広げられて用途によってはＬＥＤフレームだけ取り替えれば可能になる様に考案した。
【背景技術】既存のＬＥＤ電光ボードは平面構造で特定方向のみで表出内容を見られるが、回転型電光ボードは３６０度全方位から表出内容を見る事を可能にし、空間的表出効率を完全に改善させた。
【発明の開示】
【発明が成し遂げようとする技術的な課題】
上記の問題点らを本発明が解決した事としては、表示部をドーム型又はエントツ型にしてＬＥＤフレームの取り替えだけで表出空間の形態を変更させる事が出来るようにしたのと、データー伝送も有線から有、無線両方とも利用する事が可能にし、利用者の便利性を改善させた。
その上、稼動中でもリアルタイムでデーターをダウンロードし、表出させる事が出来るようにして、実時間広告及び情報伝達が可能になるよう施した。
【発明の構成】
透明な垂直エントツ（２３）内に心棒役の軸を設置し、“⊂”形態のＬＥＤガイド（２２）を軸に付着した後、モーターを利用して軸（２１）を回転させながら、文字又はイメージが表出されるよう考案した表出装置である。
ＬＥＤの表出部位を広げられるよう表出部分をエントツ形の形態（３１）で構成する。
エントツ形態の表出はＬＥＤの大きさを大きくする事が可能だし、高輝度のＬＥＤ採択が可能になり、表出物としての付加価値を向上させた。
また、軸が回転する際の摩擦を減らし、安定的に回転することが可能になるよう施した。
エントツ型の上部に固定用ベアリング（２４）を設置して軸をエントツ型の同芯軸で取るように施した。
このように構成する事により、摩擦を最小限化させ、モーターの負荷負担を減らし、回転際に発生する回転軸の水平負荷を減らし機器の耐久寿命を高める事を狙い目とする。そのうえ回転の際に発生する振れやチカチカする感が無くなると同時にＬＥＤのふるえが少なくなり、これにより鮮明な表出が表現出きる事になる。表出装置に文字やイメージを表出させる為には、まずＰＣ上でイメージ及び文句作成ツールを利用して表現しようとする表出文句等を作成した後、表出装置のスイッチをダウンロードモードに置きメモリー（５７）に表出内容等をダウンロードされる。
この際に表出させるラインのフロー効果を左から右にするか、又は右から左にするかを設定する。
ダウンロードが完了されると表出装置のスイッチを動作モードに転換させ、モーターを動作させる。この際にモーターの回転速度が１，５００ｒｐｍになる様にモーターをコントロール（５３）する。中央処理装置（５０）はメモリーに貯蔵された表出内容を回転するＬＥＤの円柱上の各各ドットにビット単位で動機させ入出力装置（５５）を通じＬＥＤを点滅させる事により回転する円柱上に出力しようとする文字及びイメージ（３２）を表せる。
表出される文字及びイメージは貯蔵された内容が初めから最後まで流れながら表出され繰り返し繰り返し始めから反復し、表出される循環構造を持っている。
表出内容をメモリー（５７）にダウンロードしようとする際は既存のＲＳ―２３２又はＵＳＢ形態の有線形態だけではなく、２．４Ｍｈｚ無線通信モジュール（５８）とブルートゥース（５８）と同じ無線形態の通信方法を利用してデーター伝送も可能になる。この時にはＰＣ（４０）無線通信の為のＤｏｎ―ｇｌｅを利用しなければならない。
【発明の効果】
本発明でＬＥＤ表出面積が広げられ広告及び情報伝達の効果が大きくなり、無線でデーターを伝送する事が出来るようになる利便性が増大すると同時に、運営中にも表出データーのリアルタイム変更が可能になり、リアルタイムで情報伝達機能が具現可能だ。
【図面の簡単な説明】
【図１】は半円球形ＬＥＤ回転表出装置
【図２】はエントツ形ＬＥＤ回転表出装置
【図３】はＬＥＤ回転表出装置の表出の例
【図４】はＬＥＤ回転表出装置の無線データー伝送
【図５】はＬＥＤ回転表出装置の回路構成図
【符号の説明】
１０、２０      ：モーター
１１、２１      ：回転軸
１２、２２      ：ＬＥＤ
１３            ：半円球形アクリルカバー
２３            ：エントツ形アクリルカバー
２４            ：回転軸固定用ベアリング
３１            ：ＬＥＤ設置ボード
３２            ：ＬＥＤ回転で表出された文字
４０            ：データー伝送用ＰＣ
４１            ：エントツ形ＬＥＤ回転表出装置
４２            ：直列データー伝送用ケーブル
４３            ：無線伝送
５０            ：中央処理装置のチップ（ＣＰＵ：Ｃｅｎｔｒａｌ  Ｐｒｏｃｅｓｓ  Ｕｎｉｔ）
５１，５２，５５：入出力処理用のチップ
５３            ：モーター回転数（速度）コントロール装置
５４            ：モーター
５６            ：高輝度ＬＥＤ
５７            ：メモリー（データー及びプログラム貯蔵装置）
５８            ：無線データー伝送装置
［索引語］
回転型ＬＥＤ表出装置、ＬＥＤ回転、表出データー無線伝送、高輝度ＬＥＤ
【図１】
2007256894.tif 000003
【図２】
2007256894.tif 000004
【図３】
2007256894.tif 000005
【図４】
2007256894.tif 000006
【図５】
2007256894.tif 000007
(57)【要約】【課題】立体視に用いられる映像の撮影は、多視点、多眼に行うことが望ましい。ところが、現実のカメラ・レンズの幅の制約により、狭ピッチで撮影することに限界があった。【解決手段】カメラ・レンズを「Ｗ」字型に配列する。カメラ・レンズの幅の制約を受けずに、狭ピッチの撮影が実現する。【選択図】図１
2007256897.tif 000002
【特許請求の範囲】
【請求項１】
立体視を得るための撮影において、レンズ部分を「Ｗ」字型に配列する撮影方法。
【請求項２】
前期撮影方法の結果得られた画像を再現し、立体視を実現する画像加工
【請求項３】
前期加工によって得られた画像を用いて作成されるレンチキュラー製品
【請求項４】
第１項撮影のためのカメラ等固定治具
【発明の詳細な説明】
【技術分野】
【０００１】  この発明は、レンチキュラー、専用液晶モニター等と組み合わせて、立体視を得ようとする場合の奥行き情報を持った映像撮影（以下、立体撮影という）に関する。
【背景技術】
【０００２】  従来の立体撮影は、図２に示すように、棒状の治具に直線的にカメラ・レンズを配列して行われる。
立体視が実現する要素は多元的であるが、もっとも重要な要素は左右視差である。立体撮影は、実際の被写体から、左右視差をもった映像を作成する。得られた映像を、立体視のために再生する。特殊な眼鏡を利用する方法と、レンチキュラーレンズや液晶等の画像バリアーによって裸眼のまま立体視を実現する再生方法とがある。
裸眼立体視はレンチキュラーレンズや画像バリアーで左右の目に入る映像を振り分けている。その振り分けのためには、レンチキュラー、画像バリアーの特性に合わせて、撮影映像を加工配列する。
裸眼立体視で、自然で、良好な立体視を得るためには、撮影するカメラは・レンズは多数であるほどよく、多眼、もしくは、超多眼撮影が望まれる。
【発明の開示】
【発明が解決しようとする課題】
【０００３】しかしながら、以上の技術によれば、レンズ中心間距離は、カメラ・レンズ横幅によって規定されていた。被写体との関連で、図２１の上限は規定されるため、細やかな間隔での撮影は行い得なかった。
そこで、この発明は、狭ピッチでの撮影を可能とし、多眼立体視を実現する手段を提供すること
を課題とする。
【課題を解決するための手段】
【０００４】  以上の課題を解決するために、第一発明は、立体視を得るための撮影において、レンズ部分を「Ｗ」字型に配列する撮影方法である。
第二発明は、第一発明によって得られた画像は、横１列の視点からの映像ではなく、上下方向に波打った視点のものとなる。一般的なレンチキュラー、画像バリアーは、横一列の画像並びを前提としている。第二発明は、第一発明によって得られた「Ｗ」字型に上下に波打った視点の映像を何らの細工も行わないで、そのまま再現する画像加工である。
第三発明は、前期加工によって得られた画像を用いて作成されるレンチキュラー製品
である。
第四発明は、第１項撮影のためのカメラ等固定治具
である。
【発明の効果】
【０００５】  第一発明によれば、レンズ間隔がカメラ・レンズの幅に規定されないため、より狭ピッチの撮影画像が得られる。結果として、多眼立体視が実現する。
第二発明によれば、人間の目の解像度は、横方向に最大で、縦方向、斜め方向には順に低下することを利用し、上下方向にずれた視点の映像もそのまま横に配列し再生する。上下のずれは、感知できないばかりか、かえって上下方向にずれた視点映像が同時に目に入力されることにより、なめらかな運動視差が生じ、良好な立体視が得られる。
【発明を実施するための最良の形態】
【０００６】  この発明の一実施形態を、図１に示す。
カメラ１に対してカメラ２が斜め上方に、本体の最大幅が重ならないように配置されている。用いるカメラ形状にもよるが、従来方式の約２倍の狭ピッチでの撮影が可能である。【０００８】「他の実施形態」
図１の実施形態では、カメラは上下に２列並べられたが、他の実施形態では、図３に示すように３列でもそれ以上でも良い。また、「Ｗ」字型は、斜め配置を象徴的に述べた物であり、図３−２のようないわば「Ｎ」配置でも同様である。
【図面の簡単な説明】
【０００９】
【図１】第１及び第４発明によるカメラ配置及びその治具の例である。
【図２】従来技術による立体撮影方法の例である。
【図３】第１発明及び第４発明の別の実施例である。
【図１】
2007256897.tif 000003
【図２】
2007256897.tif 000004
【図３】
2007256897.tif 000005
(57)【要約】      （修正有）【課題】１回の連続上昇動作でＣＡＮパッケージ半導体デバイスのリードの先端及び側面の２箇所にケルビン接触するソケットタイプのＣＡＮパッケージ半導体デバイス特性検査用ケルビンコンタクト式ソケットを提供する。【解決手段】主コンタクトピン１０とサイドコンタクトピン９を内蔵したソケットをカム機構のついた取り付け座１に組み込み、昇降機構８によって可動するカムによりサイドコンタクトピン９が左右に開閉する構造のＣＡＮパッケージ半導体デバイス特性検査用ケルビンコンタクト式ソケット。【選択図】なし【特許請求の範囲】
【請求項１】
絶縁材で加工されたハウジング（２）の内部に主コンタクトピン（１０）とサイドコンタクトピン（９）を内蔵した一体構造のＣＡＮパッケージ半導体デバイス特性検査用ケルビンコンタクト式ソケット
【請求項２】
カム機構を内蔵する取り付け座（１）が昇降機構（８）の上昇動作によってスプリング（６）の力に抗して移動する構造のＣＡＮパッケージ半導体デバイス特性検査用ケルビンコンタクト式ソケット。
【請求項３】
取り付け座（１）のカムによりカムボール（５）を介してサイドコンタクトピン（９）を変位させる構造のＣＡＮパッケージ半導体デバイス特性検査用ケルビンコンタクト式ソケット。
【請求項４】
昇降機構（８）が上昇する動作のみで全てのケルビンコンタクトが完成する構造のＣＡＮパッケージ半導体デバイス特性検査用ケルビンコンタクト式ソケット。
【請求項５】
内部クリーニング用圧縮空気取入口を有する請求項４のソケット。
【発明の詳細な説明】
【発明の詳細な説明】
【技術分野】
【０００１】  本発明は、ＣＡＮパッケージ半導体デバイスの特性検査に関する。
【背景技術】
【０００２】  レーザーダイオードの特性検査に代表されるようにＣＡＮパッケージ半導体デバイスのケルビン検査用コンタクトは、従来図３に見られるような複雑な機構である。【０００３】構造上コンタクトポイントが二箇所になるため、接触抵抗が二倍発生し、データーに悪影響がでる。
【発明が解決しょうとする課題】
【０００４】  従来の構造ではワーク変更の都度芯だし作業が複雑で機構の精度を必要としワーク変更に多くの時間がかかった。
【０００５】  本発明は精密に加工されたハウジングのなかにコンタクトピンが内蔵された一体型のソケット構造であるため困難な芯出し調整が不要である。
【課題を解決するための手段】
【０００６】  上記目的を達成するために、本発明のソケットは絶縁材のなかに被検査用ワークのリードと同一直線状配置で主コンタクトピンを配置し、さらにその外側にそれぞれサイドコンタクトピンをセットする。このソケットを昇降機構で持ち上げるとソケット上部の穴から入った被検査用ワークのリードが主コンタクトピンに接触し更に上端に達した時、内部に組み込まれたカム機構によりサイドコンタクトピンが被検査用ワークのリードの横から接触する。
【発明を実施するための最良の形態】
【０００７】  発明の実施の形態を実施例にもとづき図面を参照して説明する。図１（ａ）において、ソケットの中心部のハウジング（２）に主コンタクトピン（１０）を埋め込み、それぞれ対の位置にサイドコンタクトピン（９）とカムボール（５）を配置する。【０００８】  そしてハウジング（２）はカム機構を内蔵した取り付け座（１）の中に収まる。【０００９】ハウジング（２）と取り付け座（１）はスプリング（６）によって隔てられている。【００１３】  更にハウジング（２）の上にガイド（４）を取り付け、カバー（３）で先端を保護する構造となっている。【００１４】  取り付け座（１）は上下可動な昇降装置（８）にワンタッチクランプ（１１）で取り付ける。昇降装置（８）の取付座に内部クリーニング用の圧縮空気取入口（１２）をつける。
【発明の効果】
【００１５】  本発明は、以上説明したように構成されているので、下記に記載されるような効果を奏する。
【００１６】  動作が単純で特別な芯だし調整をしなくてもソケットの昇降動作のみでＣＡＮパッケージ半導体デバイスのリードの先端及び側面の２箇所にケルビン接触する。
【００１７】（図３）に示す従来の機構ではＣＡＮパッケージ半導体デバイスのリードピッチが狭くなると機構上測定が不可能であるが、本発明のソケットではリードピッチが狭くなっても同一の機構で全てのリードのケルビンコンタクトが同時に行える。
【００１８】  機構が単純でダウンサイジングであるのでリードが短いＣＡＮパッケージ半導体デバイスの測定も可能になる。
【図面の簡単な説明】
【００１９】
【図１】（ａ）ＣＡＮパッケージ半導体デバイス特性検査用ケルビンコンタクト式ソケットの断面図である。
【図１】（ｂ）ＣＡＮパッケージ半導体デバイス特性検査用ケルビンコンタクト式ソケットにＣＡＮパッケージ半導体デバイスを挿入した状態の断面図である。
【図１】（ｃ）ＣＡＮパッケージ半導体デバイス特性検査用ケルビンコンタクト式ソケットのサイドコンタクトピンがＣＡＮパッケージ半導体デバイスに接触した状態の断面図である。
【図２】ＣＡＮパッケージ半導体デバイス特性検査用ケルビンコンタクト式ソケットでケルビンコンタクトを行う作動手順の模式図である。ＣＡＮパッケージ半導体デバイス（ａ）をワークホルダーに固定し（ｂ）、次にＣＡＮパッケージ半導体デバイスのリードが昇降装置の上昇にともない（ｃ）、（ｄ）の行程でケルビンコンタクトする。
【図３】従来構造のＣＡＮパッケージ半導体デバイス特性検査用ケルビンコンタクト装置の断面図である。
【符号の説明】
１    取り付け座
２    ハウジング
３    カバー
４    ガイド
５    カムボール
６    スプリング
７    ワークホルダー
８    昇降装置
９    サイドコンタクトピン
１０  主コンタクトピン
１１  ワンタッチクランプ
１２  圧縮空気取入口
【図１】
2007256248.tif 000002
【図１】
2007256248.tif 000003
【図１】
2007256248.tif 000004
【図２】
2007256248.tif 000005
【図３】
2007256248.tif 000006